(57)【要約】【課題】回路基板を機器から外してメンテナンスを行う場合に、回路基板と電装部間に配線された多数の接続線を外す手間が軽減されてメンテナンスをし易くする。【解決手段】回路基板２０を保持する保持部材１０であって、回路基板２０を保持する樹脂製の本体部１１と、本体部１１に一体成形され、機器（プリンタ１）の電装部から回路基板２０に接続されるハーネス（接続線）３０を保持する樹脂製のクランプ（保持部）１２０と、回路基板２０に設けられ、機器に着脱可能に取り付けるための取付部（ねじ２２）とを具備する。【選択図】図２
2011053291.tif 000002
【特許請求の範囲】
【請求項１】
回路基板を保持する樹脂製の本体部と、
該本体部に一体成形され、機器の電装部から前記回路基板に接続される接続線を保持する樹脂製の保持部と、
前記本体部および／または該本体部に保持される前記回路基板に設けられ、前記機器に着脱可能に取り付けるための取付部と、
を具備することを特徴とする回路基板保持部材。
【請求項２】
前記取付部は前記回路基板に設けられ、該取付部を介して前記機器に接地されることを特徴とする請求項１に記載の回路基板保持部材。
【請求項３】
前記接続線が、前記電装部に対して中継コネクタを介して着脱可能に接続されることを特徴とする請求項１または２に記載の回路基板保持部材。
【請求項４】
前記回路基板は矩形状に形成されており、かつ、該回路基板の四辺の端縁近傍に前記接続線が接続されるコネクタが設けられており、
前記本体部は、該回路基板を囲繞する矩形枠状に形成されていることを特徴とする請求項１〜３のいずれかに記載の回路基板保持部材。
【請求項５】
前記本体部の外縁に外側リブが形成されていることを特徴とする請求項４に記載の回路基板保持部材。
【請求項６】
前記本体部の内縁に内側リブが形成されているとともに、該内側リブの前記コネクタに対応する箇所に、前記接続線が通される切欠きが形成されていることを特徴とする請求項４または５に記載の回路基板保持部材。
【請求項７】
請求項１〜６のいずれかに記載の回路基板保持部材を備えることを特徴とする画像形成装置。
【発明の詳細な説明】
【技術分野】
【０００１】
本発明は、回路基板を保持して機器に取り付けるための回路基板保持部材および該回路基板保持部材を備えた画像形成装置に関する。
【背景技術】
【０００２】
例えば、各種画像形成装置（複写機、プリンタ、ファクシミリ、さらにはこれらの複合機等）の内部には、一般に、回路基板から電装部に対して多数のハーネスが配線されている。ハーネスに対しては、損傷を与えず、かつ効率的にまとめることや、メンテナンス性の確保などが考慮される。この種のハーネスに関しては、例えば特許文献１には、基板ホルダにハーネスクランプを形成し、クランプ材の取り付け箇所を減らすことを目的とした基板組立体を備えた画像形成装置が提案されている。また、特許文献２には、ハーネスの損傷を防止するハーネスガイドにクランプを形成してハーネスを短くするとともに、移動に際してハーネスが邪魔にならず、かつハーネスを傷つけるおそれのないことを目的として電装部を備えた画像形成装置が提案されている。
【先行技術文献】
【特許文献】
【０００３】
【特許文献１】特開２００８−２９４２７２号公報
【特許文献２】特開２００６−３０９０５８号公報
【発明の概要】
【発明が解決しようとする課題】
【０００４】
本発明は、回路基板を機器から外してメンテナンスを行う場合に、回路基板と電装部間に配線された多数の上記ハーネス等の接続線を外す手間が軽減されてメンテナンスをし易くなるとともに、狭い作業スペースでも作業性が損なわれない回路基板保持部材と、そのような回路基板保持部材を備えた画像形成装置を提供することを目的とする。
【課題を解決するための手段】
【０００５】
請求項１に記載の発明は、回路基板を保持する樹脂製の本体部と、該本体部に一体成形され、機器の電装部から前記回路基板に接続される接続線を保持する樹脂製の保持部と、前記本体部および／または該本体部に保持される前記回路基板に設けられ、前記機器に着脱可能に取り付けるための取付部とを具備することを特徴とする回路基板保持部材である。
【０００６】
請求項２に記載の発明は、請求項１に記載の発明において、前記取付部は前記回路基板に設けられ、該取付部を介して前記機器に接地されることを特徴とする。
【０００７】
請求項３に記載の発明は、請求項１または２に記載の発明において、前記接続線が、前記電装部に対して中継コネクタを介して着脱可能に接続されることを特徴とする。
【０００８】
請求項４に記載の発明は、請求項１〜３のいずれかに記載の発明において、前記回路基板は矩形状に形成されており、かつ、該回路基板の四辺の端縁近傍に前記接続線が接続されるコネクタが設けられており、前記本体部は、該回路基板を囲繞する矩形枠状に形成されていることを特徴とする。
【０００９】
請求項５に記載の発明は、請求項４に記載の発明において、前記本体部の外縁に外側リブが形成されていることを特徴とする。
【００１０】
請求項６に記載の発明は、請求項４または５に記載の発明において、前記本体部の内縁に内側リブが形成されているとともに、該内側リブの前記コネクタに対応する箇所に、前記接続線が通される切欠きが形成されていることを特徴とする。
【００１１】
請求項７に記載の発明は、請求項１〜７のいずれかに記載の回路基板保持部材を備える画像形成装置である。
【発明の効果】
【００１２】
請求項１の発明によれば、機器の電装部に接続されている接続線を全て取り外すことなく、回路基板を本発明の回路基板保持部材ごと機器から取り外すことができるため、回路基板を取り外して機器内のメンテナンスを行うことが容易となる。また、多数の接続線を電装部から取り外す作業が必要なくなるため、狭い作業スペースでもメンテナンスが可能となり、作業性が損なわれない。また、本発明の回路基板保持部材は全体が樹脂製であるため、保持部を容易に一体成形することができるとともに保持部の形状の自由度が向上し、さらに、板金製などのように接続線を損傷させるおそれを回避することができる。
【００１３】
請求項２の発明によれば、回路基板から機器に直接接地することができ、樹脂製の本体部を機器に取り付ける場合と比べると接地が容易である。
【００１４】
請求項３の発明によれば、接続線に拘束された回路基板を機器から取り外しにくい状況があっても、接続線を中継コネクタに対し着脱させることにより回路基板を機器から容易に取り外すことができる。
【００１５】
請求項４の発明によれば、回路基板は本体部によって確実、かつ強固に保持される。
【００１６】
請求項５の発明によれば、本体部の外縁に外側リブが形成されていることにより剛性が確保され、回路基板と一体化した状態での取り扱いが容易となる。
【００１７】
請求項６の発明によれば、内側リブにより剛性が向上し、また、上記外側リブと内側リブが形成されていると、これらリブの間を接続線の配置箇所として確保することができる。また、内側リブの切欠きに接続線を通すことにより、接続線の保持ならびに接続線の突出を防いで全体厚さの増大を抑えることができる。
【００１８】
請求項７の発明によれば、メンテナンス性に優れた画像形成装置を得ることができる。
【図面の簡単な説明】
【００１９】
【図１】本発明の一実施形態の回路基板保持部材を備えるプリンタの内部構造を示す側面図である。
【図２】一実施形態の回路基板保持部材の斜視図である。
【図３】同回路基板保持部材の正面図である。
【図４】プリンタに取り付けられた回路基板保持部材を示す斜視図である。
【図５】同回路基板保持部材がプリンタから取り外された状態を示す斜視図である。
【発明を実施するための形態】
【００２０】
以下、図面を参照して本発明の一実施形態を説明する。
図１は、一実施形態の回路基板保持部材（以下、保持部材と略称）１０が取り付けられた画像形成装置であるプリンタ１の内部構造を一側面から見た図である。このプリンタ１は装置本体２内にフルカラーの画像形成部が収容されており、下部に設けられた給紙カセット収納スペースに図において矢印Ｆで示す前方から給紙カセットが挿入され、該給紙カセットから用紙が１枚ずつ引き出され、画像形成部によって用紙にカラー画像が形成されるものである。
【００２１】
このプリンタ１は、電装部として装置本体２の後部に電源基板５が固定されており、また、前部には給電装置６が固定されている。また、この他にも各種の電装部を有しており、これら電装部からは、装置本体２の側面に取り付けられる制御系の回路基板２０に多数のハーネス（接続線）３０が接続されている。
【００２２】
回路基板２０は保持部材１０に保持されている。保持部材１０は、図２および図３に示すように、樹脂によって成形された矩形枠状の本体部１１を主体としており、この本体部１１の内側の空間に矩形状の回路基板２０が嵌め込まれて保持されている。
【００２３】
保持部材１０の本体部１１は、樹脂成形によって形成されたものである。本体部１１は全体が矩形枠状であるが、互いに対向する状態に形成された２つのＬ字状の平板部：第１平板部１１１と第２平板部１１２を有している。この本体部１１の矩形状の内縁には、本体部１１に対して直立する内側リブ１１３が一体に形成されている。
【００２４】
上記第１平板部１１１の外縁には全長にわたって外側リブ１１４が形成されている。また、第２平板部１１２の外縁の所定箇所には複数（この場合２つ）の外側リブ１１５が形成されている。これら外側リブ１１４，１１５は内側リブ１１３に対向し、かつ、内側リブ１１３と平行に形成されている。各平板部１１１，１１２においては、長手方向両側に内側リブ１１３と外側リブ１１４，１１５が形成されていることにより溝状となっており、これら溝部１１６，１１７にハーネス３０が通されて配置されるようになっている。
【００２５】
上記内側リブ１１３および外側リブ１１４，１１５には、ハーネス３０を保持する複数のクランプ（保持部）１２０が形成されている。これらクランプ１２０は、本体部１１と一体的に成形された樹脂からなっている。クランプ１２０は各平板部１１１，１１２を横断する方向に突出しており、突出方向は、溝部１１６，１１７の長さ方向に沿って互い違いになるように設定されている。クランプ１２０は弾性を有しており、各平板部１１１，１１２との間に差し込まれるハーネス３０を弾性的に押さえ付けて保持するようになっている。
【００２６】
図４に示すように、回路基板２０の四辺の端縁近傍には、ハーネス３０が接続されるコネクタ１３０が設けられている。そして、上記内側リブ１１３の各コネクタ１３０に対応する箇所には、ハーネス３０が通される複数の切欠き１１８が形成されている。これら切欠き１１８は、複数のコネクタ１３０に対して１つ形成されている。また、回路基板２０には複数のねじ孔が設けられたねじ通し部２１が設けられており、これらねじ通し部２１に、装置本体２にねじ込まれるねじ２２が通されるようになっている。
【００２７】
図４に示すように、回路基板２０を保持した保持部材１０は、装置本体２の一側面に形成された基板設置部３（図５参照）に嵌め込まれ、回路基板２０のねじ通し部２１に通したねじ２２を基板設置部３に設けられたねじ孔にねじ込むことにより、装置本体２に固定される。このねじ２２により、回路基板２０は装置本体２に直接接地された状態となる。
【００２８】
上記保持部材１０に保持された回路基板２０には、上記電源基板５等を含む後側の電装部に一端が接続された後側の複数のハーネス３０Ａと、上記給電装置６等を含む前側の電装部に一端が接続された前側の複数のハーネス３０Ｂが接続されている。
【００２９】
後側ハーネス３０Ａは、保持部材１０の、図１で左側下部の角部付近に配線され、そこで分岐しており、一方が第１平板部１１１側の後側溝部１１６ａから上側溝部１１６ｂにわたって差し込まれ、他方は下側溝部１１７ｂに差し込まれており、クランプ１２０に保持されている。そして、後側ハーネス３０Ｂの分岐した複数の先端部が切欠き１１８に通されて内側リブ１１３を越え、該内側リブ１１３に対応して近接する各コネクタ１３０に接続されている。
【００３０】
また、前側ハーネス３０Ｂは、保持部材１０の、図１で右側下部の角部付近に配線され、そこから第２平板部１１２側の前側溝部１１７ａに差し込まれ、クランプ１２０に保持されている。そして、分岐した複数の先端部の一部が切欠き１１８に通されて内側リブ１１３を越え、該内側リブ１１３に対応して近接する各コネクタ１３０に接続されている。
【００３１】
上記一実施形態によれば、回路基板２０を装置本体２から取り外して内部のメンテナンスを行う場合、ねじ２２を外して回路基板２０を保持部材１０とともに取り外す。その際には、前側ハーネス３０Ｂをコネクタ１３０から外し、後側ハーネス３０Ｂはコネクタ１３０から取り外さない。このような状態で、回路基板２０および保持部材１０は、後側ハーネス３０Ａの分岐部付近（図１および図４：符号Ｅで示す）を支点として反転させるようにして装置本体２から取り外すことができる。
【００３２】
したがって回路基板２０に接続されているハーネス３０を全て取り外すことなく、回路基板２０を装置本体２から取り外すことができる。このため、装置本体２内のメンテナンスを行う際の手間が省かれ、メンテナンスが容易となる。また、多数のハーネス３０を装置本体２側の電装部から取り外す作業が必要なくなるため、狭い作業スペースでもメンテナンスが可能となり、作業性が損なわれない。
【００３３】
また、保持部材１０は全体が樹脂製であるため、クランプ１２０を容易に一体成形することができるとともにクランプ１２０の形状の自由度が向上し、さらに、軽量化も図られる。また、板金製などのようにハーネス３０を損傷させるおそれを回避することができる。
【００３４】
また、仮に樹脂製の本体部１１を装置本体２にねじ等で取り付けた場合には、回路基板２０を装置本体２に接地させる接地ばね等の別部材が必要であるが、上記実施形態では、回路基板２０および保持部材１０を接地兼用のねじ２２によって装置本体２に直接取り付けている。このため、取り付けと接地がねじ２２で達成でき、接地が容易であるとともに構造の簡素化が図られる。
【００３５】
また、矩形状の本体部１１の内側に保持されることにより、回路基板２０は本体部１１によって確実、かつ強固に保持される。その本体部１１は、内側リブ１１３と外側リブ１１４，１１５とが形成されているため剛性が確保され、回路基板２０と一体化した状態での取り扱いが容易となるとともに、内外の各リブ間をハーネス３０の配置箇所として確保することができる。さらに、内側リブ１１３の切欠き１１８にハーネス３０を通すことにより、ハーネス３０の保持が可能となり、さらにハーネス３０の突出を防いで全体厚さの増大を抑えることができる。
【００３６】
なお、上記ハーネス３０は、装置本体２内の各種電装部に対して、中継コネクタを介して着脱可能に接続された構成が好ましい。この構成によれば、ハーネス３０に拘束された回路基板２０を機器から取り外しにくい状況があっても、ハーネス３０をその中継コネクタに対し着脱させることにより回路基板２０を装置本体２から容易に取り外すことができるといった利点がある。
【符号の説明】
【００３７】
１…プリンタ（機器、画像形成装置）
２…装置本体
５…電源基板（電装部）
６…給電装置（電装部）
１０保持部材
１１…本体部
２０…回路基板
２２…ねじ（取付部）
３０…ハーネス（接続線）
１１３…内側リブ
１１４，１１５…外側リブ
１１８…切欠き
１２０…クランプ（保持部）
１３０…コネクタ
【図１】
2011053291.tif 000003
【図２】
2011053291.tif 000004
【図３】
2011053291.tif 000005
【図４】
2011053291.tif 000006
【図５】
2011053291.tif 000007